【手続補正書】
【提出日】平成21年4月2日(2009.4.2)
【手続補正１】
【補正対象書類名】特許請求の範囲
【補正対象項目名】全文
【補正方法】変更
【補正の内容】
【特許請求の範囲】
【請求項１】
システム制御部と、
所定のプロセスを用いて記録紙に画像を形成する画像形成部と、
前記画像形成部による画像形成を制御する画像形成制御部と、
前記システム制御部からの電源制御信号に応じて、少なくとも前記画像形成部、前記画像形成制御部及び前記システム制御部へ電力を供給する電力供給部と、
前記システム制御部に配置され、省電力モード時において通常モードへの復帰要因の発生の有無を監視する復帰要因監視部と
を有する画像形成装置であって、
前記復帰要因監視部は、省電力モード時において通常モードへの復帰要因の発生を検出したとき、前記電源制御信号を前記電力供給部へ出力すると同時に、検出した復帰要因の情報を示す通知信号を前記システム制御部の起動完了前に前記画像形成制御部へ出力すると共に、前記画像形成制御部は、前記通知信号が示す復帰要因情報に基づいて、通常モードへの復帰時に前記所定のプロセスの初期化を行うか否かの要否を判定する初期化要否判定部を備え、前記画像形成制御部は、前記復帰要因が検出されると直ちに前記電力供給部からの電力供給で起動され、前記復帰要因情報により通常モードへの復帰時に前記所定のプロセスの初期化の実行が必要と判定される場合、前記所定のプロセスの初期化を実行して前記画像形成部を起動することを特徴とする画像形成装置。
【請求項２】
前記復帰要因監視部は、単数又は複数本の通信線によって前記復帰要因の情報をパルス幅変調駆動パルスで前記画像形成制御部に出力することを特徴とする請求項１記載の画像形成装置。
【請求項３】
前記復帰要因監視部によって出力されたパルス幅変調駆動パルスが一定期間以上ハイレベル又はローレベルであった場合、異常と判定する異常判定部を備えることを特徴とする請求項２記載の画像形成装置。
【請求項４】
前記復帰要因監視部は、省電力モード時においても前記電力供給部からの電力供給を受けて動作することを特徴とする請求項１記載の画像形成装置。
【請求項５】
前記復帰要因監視部は、省電力モード時において通常モードへの復帰要因の発生を検出したとき、前記システム制御部を介して、前記電力供給部から、少なくとも前記画像形成部、前記画像形成制御部及び前記システム制御部への電力供給を再開させることを特徴とする請求項１記載の画像形成装置。
【請求項６】
前記初期化要否判定部は、前記通知信号として出力されたデジタル信号が示すコードに応じて、前記画像形成部による電子写真プロセスの初期化を行うか否かの要否を判定することを特徴とする請求項１記載の画像形成装置。
【請求項７】
前記初期化要否判定部は、前記通知信号として出力されたパルス幅変調駆動パルスのパルス幅に応じて、前記画像形成部による電子写真プロセスの初期化を行うか否かの要否を判定することを特徴とする請求項１記載の画像形成装置。
【請求項８】
前記復帰要因監視部は、通常モードにおいて、前記電力供給部に対して、少なくとも前記画像形成部、前記画像形成制御部及び前記システム制御部への電力を供給するように制御し、省電力モードにおいて、前記電力供給部に対して、前記画像形成部と前記画像形成制御部と前記システム制御部への電力供給を遮断するように制御することを特徴とする請求項１記載の画像形成装置。
【請求項９】
前記画像形成制御部は、コマンドラインを介して前記システム制御部に接続されることを特徴とする請求項１記載の画像形成装置。
【請求項１０】
システム制御部と、所定のプロセスを用いて記録紙に画像を形成する画像形成部と、前記画像形成部による画像形成を制御する画像形成制御部と、前記システム制御部からの電源制御信号に応じて、少なくとも前記画像形成部、前記画像形成制御部及び前記システム制御部へ電力を供給する電力供給部と、前記システム制御部に配置され、省電力モード時において通常モードへの復帰要因の発生の有無を監視する復帰要因監視部とを有する画像形成装置の制御方法であって、
省電力モード時において通常モードへの復帰要因の発生を検出したとき、前記電源制御信号を前記電力供給部へ出力すると同時に、検出した復帰要因の情報を示す通知信号を前記システム制御部の起動完了前に前記画像形成制御部へ出力する手順と、
前記通知信号が示す復帰要因情報に基づいて、通常モードへの復帰時に前記所定のプロセスの初期化を行うか否かの要否を判定する手順と
を有し、前記画像形成制御部は、前記復帰要因が検出されると直ちに前記電力供給部からの電力供給で起動され、前記復帰要因情報により通常モードへの復帰時に前記所定のプロセスの初期化の実行が必要と判定される場合、前記所定のプロセスの初期化を実行して前記画像形成部を起動することを特徴とする画像形成装置の制御方法。
【手続補正２】
【補正対象書類名】明細書
【補正対象項目名】００５０
【補正方法】変更
【補正の内容】
【００５０】
上述した課題を解決するために、本発明の画像形成装置は、システム制御部と、所定のプロセスを用いて記録紙に画像を形成する画像形成部と、前記画像形成部による画像形成を制御する画像形成制御部と、前記システム制御部からの電源制御信号に応じて、少なくとも前記画像形成部、前記画像形成制御部及び前記システム制御部へ電力を供給する電力供給部と、前記システム制御部に配置され、省電力モード時において通常モードへの復帰要因の発生の有無を監視する復帰要因監視部とを有する画像形成装置であって、前記復帰要因監視部が、省電力モード時において通常モードへの復帰要因の発生を検出したとき、前記電源制御信号を前記電力供給部へ出力すると同時に、検出した復帰要因の情報を示す通知信号を前記システム制御部の起動完了前に前記画像形成制御部へ出力すると共に、前記画像形成制御部が、前記通知信号が示す復帰要因情報に基づいて、通常モードへの復帰時に前記所定のプロセスの初期化を行うか否かの要否を判定する初期化要否判定部を備え、前記画像形成制御部が、前記復帰要因が検出されると直ちに前記電力供給部からの電力供給で起動され、前記復帰要因情報により通常モードへの復帰時に前記所定のプロセスの初期化の実行が必要と判定される場合、前記所定のプロセスの初期化を実行して前記画像形成部を起動することを特徴とする。
【手続補正３】
【補正対象書類名】明細書
【補正対象項目名】００５９
【補正方法】変更
【補正の内容】
【００５９】
また、上述した課題を解決するために、本発明の画像形成装置の制御方法は、システム制御部と、所定のプロセスを用いて記録紙に画像を形成する画像形成部と、前記画像形成部による画像形成を制御する画像形成制御部と、前記システム制御部からの電源制御信号に応じて、少なくとも前記画像形成部、前記画像形成制御部及び前記システム制御部へ電力を供給する電力供給部と、前記システム制御部に配置され、省電力モード時において通常モードへの復帰要因の発生の有無を監視する復帰要因監視部とを有する画像形成装置の制御方法であって、省電力モード時において通常モードへの復帰要因の発生を検出したとき、前記電源制御信号を前記電力供給部へ出力すると同時に、検出した復帰要因の情報を示す通知信号を前記システム制御部の起動完了前に前記画像形成制御部へ出力する手順と、  前記通知信号が示す復帰要因情報に基づいて、通常モードへの復帰時に前記所定のプロセスの初期化を行うか否かの要否を判定する手順とを有し、前記画像形成制御部は、前記復帰要因が検出されると直ちに前記電力供給部からの電力供給で起動され、前記復帰要因情報により通常モードへの復帰時に前記所定のプロセスの初期化の実行が必要と判定される場合、前記所定のプロセスの初期化を実行して前記画像形成部を起動することを特徴とする。